(57)【要約】【課題】収納式網戸の操作性及び防虫性の向上が図れる開口部装置を提供する。【解決手段】建物の開口に設けられる枠体２と、該枠体２内に開閉自在に設けられた障子３ａ，３ｂと、前記枠体２に設けられる収納式網戸６とを備え、前記収納式網戸６は、網体７を収納する収納部８と、網体７の先端部を保持し網体７を収納部８から引き出し入れして網戸６の開閉を行う可動框９と、該可動框９の両端部を摺動自在に案内する案内部１０とを有し、前記可動框９に障子３ａ，３ｂとの隙間を塞いで虫の侵入を防ぐ虫除け部材１３を設け、該虫除け部材１３を両端部が前記枠体２から離間した第１の虫除け部材１３ａと、該第１の虫除け部材１３ａに接してその両端部から長手方向に移動可能な第２の虫除け部材１３ｂとにより構成し、該第２の虫除け部材１３ｂにこれを前記枠体２に対して所定の位置に規制する規制手段３７を設けた。【選択図】　　　　　図１
2004100179.tif 000002
【特許請求の範囲】
【請求項１】
収納式網戸からなる開口部装置であって、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框にサッシの障子との隙間を塞いで虫の侵入を防ぐ虫除け部材を設け、該虫除け部材を両端部がサッシの枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けたことを特徴とする開口部装置。
【請求項２】
建物の開口に設けられる枠体と、該枠体内に開閉自在に設けられた障子と、前記枠体に設けられる収納式網戸とを備え、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框に障子との隙間を塞いで虫の侵入を防ぐ虫除け部材を設け、該虫除け部材を両端部が前記枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けたことを特徴とする開口部装置。
【発明の詳細な説明】
【０００１】
【発明の属する技術分野】
本発明は、開口部装置に係り、特に収納式網戸の可動框に設けられる虫除け部材の構造を改良した開口部装置に関する。
【０００２】
【従来の技術】
開口部装置としては、建物の開口に設けられる枠体と、この枠体内に開閉自在に設けられた障子と、前記枠体に設けられる収納式網戸例えばロール式網戸とを備えたものが知られている（例えば、特公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。
【０００３】
そして、前記可動框には、障子との隙間を塞いで室外から室内への虫の侵入を防ぐための虫除け部材が設けられている。この虫除け部材は、例えばゴムパッキンからなっている。この虫除け部材は、操作性が損なわれないように網戸の開閉操作時には枠体に触れず、また、虫が侵入しないように枠体との間に所定の隙間例えば１〜２ｍｍの隙間が形成されるような長さ寸法とされていることが好ましい。
【０００４】
【発明が解決しようとする課題】
しかしながら、前記開口部装置においては、枠体（サッシ枠）の施工状態によって現実的には±１．５ｍｍ程度の狂い（施工誤差）が生じる場合があるため、例えば虫除け部材と枠体との隙間が１ｍｍに設定されていると、虫除け部材と枠体とが干渉して網戸の操作性に問題が生じる可能性があり、また、虫除け部材と枠体との隙間が２ｍｍに設定されていると、隙間が最悪で３．５ｍｍと大きくなって防虫性に問題が生じる可能性があった。
【０００５】
本発明は、前記事情を考慮してなされたもので、収納式網戸の操作性及び防虫性の向上が図れる開口部装置を提供することを目的とする。
【０００６】
【課題を解決するための手段】
本発明のうち、請求項１の発明は、収納式網戸からなる開口部装置であって、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框にサッシの障子との隙間を塞いで虫の侵入を防ぐ虫除け部材を設け、該虫除け部材を両端部がサッシの枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けたことを特徴とする。
【０００７】
請求項２の発明は、建物の開口に設けられる枠体と、該枠体内に開閉自在に設けられた障子と、前記枠体に設けられる収納式網戸とを備え、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框に障子との隙間を塞いで虫の侵入を防ぐ虫除け部材を設け、該虫除け部材を両端部が前記枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けたことを特徴とする。
【０００８】
【発明の実施の形態】
以下に、本発明の実施の形態を添付図面に基いて詳述する。図１は本発明の実施の形態を示す開口部装置の縦断面図、図２は同開口部装置の横断面図、図３はロール式網戸の使用状態を示す横断面図、図４は網体を概略的に示す図で、（ａ）は正面図、（ｂ）は（ａ）のＡ−Ａ線断面図、（ｃ）は（ａ）のＢ−Ｂ線断面図、図５は可動框の一例を示す斜視図である。
【０００９】
図１、図２ないし図３に示すように、開口部装置１は、建物の開口に設けられるサッシのサッシ枠である枠体２と、この枠体２内に開閉自在に設けられた障子３ａ，３ｂと、前記枠体２に設けられる収納式網戸例えばロール式網戸６とを備えている。前記枠体２は、例えばアルミ押出形材からなる上枠２ａ、下枠２ｂ及び左右の縦枠２ｃ，２ｄからなっている。図示例の開口部装置１は引違い窓として構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にガラスパネル５を装着してなる。
【００１０】
前記ロール式網戸６は、網体７を巻取って収納する収納部８と、その網体７の先端部を保持し網体７を収納部８から引き出し入れして網戸６の開閉を行う可動框（戸先框ともいう）９と、この可動框９の両端部を摺動自在に案内する案内部１０，１０とを有している。前記収納部８内には網体７を巻取る巻取部である巻取軸１１が回転自在に設けられ、この巻取軸１１が網体７を巻取る方向に付勢手段である図示しないばねにより付勢されている。
【００１１】
図示例の開口部装置１は枠体２の左右にロール式網戸６，６を備えている。左側のロール式網戸６は図３に示すように開状態にある外障子３ｂの戸先框４ｄの室内面に取付けた戸先補助框１２との間を網体７で覆うようになっており、右側のロール式網戸６は開状態の内障子３ａの戸先框４ｄとの間を網体７で覆うようになっている。左側のロール式網戸６の可動框９には外障子３ｂの戸先補助框１２との間を塞いで虫の侵入を防ぐための虫除け部材１３が設けられている。右側のロール式網戸６の可動框９には内障子３ａの戸先框４ｄとの間を塞いで虫の侵入を防ぐための虫除け部材１３が設けられている。
【００１２】
前記虫除け部材は１３は、両端部が前記枠体２例えば上枠２ａ，下枠２ｂから大きく離間した第１の虫除け部材１３ａと、該第１の虫除け部材１３ａに接してその両端部から長手方向に移動可能な第２の虫除け部材１３ｂ，１３ｂとにより構成され、該第２の虫除け部材１３ｂにはこれを前記枠体２例えば上枠２ａ，下枠２ｂに対して所定の位置例えば隙間が１ｍｍになるように規制する規制手段３７が設けられている。第１の虫除け部材１３ａは可動框９に対して固定されているため固定虫除け部材と称することができ、第２の虫除け部材１３ｂは可動框９に対して移動可能に設けられているため可動虫除け部材と称することができる。
【００１３】
前記虫除け部材１３ａ，１３ｂは、例えばゴム、軟質樹脂等の弾性材によりヒレ状に形成されている。なお、虫除け部材１３ａ，１３ｂは、例えばモヘアからなっていても良い。前記規制手段３７は、本実施の形態では、第２の虫除け部材１３ｂを枠体２例えば上枠２ａ，下枠２ｂに接近させる方向に付勢するばね３７ａと、このばね３７ａの付勢力に抗して第２の虫除け部材１３ｂを枠体２例えば上枠２ａの下面，下枠２ｂの上面から所定例えば１ｍｍの隙間の位置に保持すべく上枠２ａの下面又は下枠２ｂの上面に接して走行（転動）する車輪３７ｂとから主に構成されている。
【００１４】
前記可動框９の両端部には、図１、図２ないし図５に示すように網戸を閉める方向に突出したケース部３８，３８が設けられ、各ケース部３８には前記第２の虫除け部材１３ｂの基端部を保持した摺動枠３７ｃが上下方向に摺動可能に設けられている。この摺動枠３７ｃに前記車輪３７ｂが回転可能に軸支され、摺動枠３７ｃを付勢するように前記ばね３７ａが設けられている。
【００１５】
図示例では、収納部８は左右の縦枠２ｃ，２ｄの室内側にそれぞれ別体で設けられ、案内部１０は上枠２ａ及び下枠２ｂの室内側にそれぞれ別体で設けられている。具体的には、サッシ枠である枠体２の室内面にロール式網戸６の枠体１４が固着具であるネジ１５で着脱自在に取付けられている。このロール式網戸６の枠体１４は、例えばアルミ押出形材からなる上枠材１４ａ、下枠材１４ｂ及び左右の縦枠材１４ｃ，１４ｄからなり、上枠材１４ａと下枠材１４ｂは上枠２ａと下枠２ｂの室外面に取付けられ、左右の縦枠材１４ｃ，１４ｄは左右の縦枠２ｃ，２ｄの室内面に取付けられている。
【００１６】
そして、左右の縦枠材１４ｃ，１４ｄに収納部８，８がそれぞれ設けられ、上枠材１４ａと下枠材１４ｂに左右の可動框９，９に共通の案内部１０，１０が設けられている。上枠材１４ａと下枠材１４ｂの対向面には、長手方向（左右方向）に沿って案内部１０としてのガイド溝１６が設けられており、可動框９の上下端部には、図１ないし図５に示すように、ガイド溝１６に沿って摺動するガイド片部１７が設けられている。
【００１７】
前記虫除け部材１３ａ，１３ｂの突出長さを短くするために、前記ガイド溝１６はサッシ枠である枠体２側に近付けて配置されていることが好ましい。また、可動框９の上下両端部には、第２の虫除け部材１３ｂが枠体２例えば上枠２ａ，下枠２ｂに接触しないように規制するためにガイド溝１６の溝縁部１６ａに沿って摺動自在に係合した環状溝部を有する規制部材１８が配置されていることが好ましい。具体的には、後述の回転軸２５の両端部に規制部材が１８が連結され、ここの規制部材１８の先端部に歯車が２２が設けられている。前記収納部８には網体７を引き出すための引出口部１９が設けられているが、この引出口部１９はガイド溝１６の位置に位置されていることが好ましい。また、縦枠材１４ｃ，１４ｄには可動框９の一部を収容する収容部２０が設けられていることが好ましい。
【００１８】
前記収納部８から網体７を引き出しながら移動操作される可動框９を障子３ａ，３ｂの戸先框４ｄと対応する任意の位置に固定する手段として、図示例では歯車式の停止機構２１が設けられている。この停止機構２１は、可動框９の上下端部に回動自在に設けられた歯車２２と、上枠材１４ａ及び下枠材１４ｂに前記歯車２２が噛合するように長手方向に沿って設けられたラック２３とを有している。
【００１９】
前記上下の歯車２２，２２は前記規制部材１８の端部に配置され、上下の歯車２２，２２は可動框９内に設けられた例えば断面Ｃ字状のタッピングホールからなる軸受２４に回転自在に支持された回転軸２５の上端部と下端部に取付固定されている。可動框９には手掛け部２６が設けられ、この手掛け部２６には回転軸２５を回転しないようにロックしたりロックを解除するための図示しないロック機構及びその操作部２７が設けられている。なお、可動框９を任意の位置に固定する手段としては、歯車式に限定されず、例えば摩擦部材を上枠材及び下枠材に押し付けて制動固定する摩擦式等であっても良い。
【００２０】
前記網体７の先端部を可動框９に固定する手段として、図４の（ａ）ないし（ｂ）に示すように網体７の先端部には袋部２８が形成され、この袋部２８に芯材（抜け止め材ともいう）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。また、前記網体７の両側縁部（図では上下縁部）は、ガイド溝１６から抜けるのを防止するために図４の（ａ）ないし（ｃ）に示すように折り返されて縫製糸３０ｂにより長手方向（図では左右方向）に連通した袋状に縫製され、袋部３１，３１が形成されている。図１ないし図５に示すように上枠材１４ａ及び下枠材１４ｂのガイド溝１６内には抜け止めガイド棒４０がガイド溝１６内の略中央部から両縦枠材１４ｃ，１４ｄ近傍に向って片持ち梁状に設けられ、収納部８から網体７を引き出してロール式網戸６を閉める時に網体７の両側部の袋部３１，３１に抜け止めガイド棒４０，４０に挿通されるようになっている。
【００２１】
前記網体７には先端部に袋部２８が形成された後、両側縁部に抜け止め用の袋部３１，３１が形成されている。なお、前記芯材２９は、網体７の先端部に袋部２８を形成してから該袋部２８に挿入することが好ましいが、網体７の両側縁部に袋部３１，３１を形成してから先端の袋部２８にその一部を破って芯材２９を挿入するようにしても良く、挿入時期や挿入方法を問わない。前記可動框９内には例えば断面Ｃ字状のタッピングホールからなる固定部（第１の固定部）３２が設けられ、この固定部３２には前記網体７の先端部の袋部２８に挿入した芯材２９が嵌合固定されている。
【００２２】
また、網体７の先端部が上下方向に弛んで網体７の先端側に部分的に皺が寄るのを防止するために、網体７の先端側両端部（図示例では上下両端部）が前記可動框９の両端部（同、上下両端部）に固定されている。すなわち、可動框９の両端部には網体７の先端側両端部を固定する固定部（第２の固定部）３３が設けられている。この固定部３３は一対の挟持片３４ａ，３４ｂを有している。挟持片３４ａ，３４ｂの対向面には網体７の滑り止めのために互いに係合する凹凸部３５が形成されていることが好ましい。
【００２３】
前記可動框９の一側部（後部側）は網体７の先端部を引き入れて固定部（第１の固定部）３２に固定するために断面略Ｕ字状に開口形成されており、両挟持片３４ａ，３４ｂの一部がその可動框９内に端部から挿入されるようになっている。この場合、一方の挟持片３４ａが可動框９の端部に予め固定されており、この一方の挟持片３４ａに対して他方の挟持片３４ｂをネジ３６で固定するようになっていることが好ましい。また、網体７はその上下両端部を固定する場合、ピンと張った状態で固定することが好ましい。
【００２４】
以上の構成からなる開口部装置１によれば、建物の開口に設けられる枠体２と、該枠体２内に開閉自在に設けられた障子３ａ，３ｂと、前記枠体２に設けられるロール式網戸６とを備え、前記ロール式網戸６は、網体７を巻取って収納する収納部８と、網体７の先端部を保持し網体７を収納部８から引き出し入れして網戸６の開閉を行う可動框９と、該可動框９の両端部を摺動自在に案内する案内部１０とを有し、前記可動框９に障子３ａ，３ｂとの隙間を塞いで虫の侵入を防ぐ虫除け部材１３を設け、該虫除け部材１３を両端部が前記枠体２から離間した第１の虫除け部材１３ａと、該第１の虫除け部材１３ａに接してその両端部から長手方向に移動可能な第２の虫除け部材１３ｂ，１３ｂとにより構成し、該第２の虫除け部材１３ｂにこれを前記枠体２に対して所定の位置に規制する規制手段３７を設けたので、ロール式網戸の操作性及び防虫性の向上が図れる。
【００２５】
すなわち、規制手段３７によって第２の虫除け部材１３ｂと枠体２との間に所定例えば１ｍｍの隙間を確保することができるため、枠体２の施工に誤差ないし狂いが生じたとしても、第２の虫除け部材１３ｂと枠体２とが接触して網戸６の開閉操作性が損なわれることが無く、また、第２の虫除け部材１３ｂと枠体２の隙間が広がって網戸６の防虫性が損なわれることも無い。また、前記規制手段３７が第２の虫除け部材１３ｂを枠体２例えば上枠２ａ，下枠２ｂに接近させる方向に付勢するばね３７ａと、このばね３７ａの付勢力に抗して第２の虫除け部材１３ｂを枠体２例えば上枠２ａの下面，下枠２ｂの上面から所定例えば１ｍｍの隙間の位置に保持すべく上枠２ａの下面又は下枠２ｂの上面に接して走行する車輪３７ｂとから主に構成されているため、簡単な構成で開口部装置１におけるロール式網戸６の操作性及び防虫性の向上が図れる。
【００２６】
ロール式網戸６としては、網体７の上下側縁部を袋状に縫ってその袋部３１内に棒状の抜け止めガイド棒４０を挿入して網体７の上下側縁部が上枠材１４ａや下枠材１４ｂから抜け出ないようにしている方式の網戸があるが、本実施例の網体７の固定構造は、この方式の網戸に対して非常にメリットがある。この方式の網戸の場合、網戸の開閉時に網体の先端部が常に抜け止めガイド棒に擦れて動くので、網体のほつれや破れ防止のために網体の先端部を折り返すことで補強している。本実施例では、この網体７の先端部の折り返し時にできた袋部２８を利用してこれに抜け止め材である芯材２９を挿入し、これを可動框９の固定部３２に固定するようにしているため、網体の先端部に抜け止め材を固定する工数を削減することができ、組立性の向上及びコストの低減が図れる。
【００２７】
また、前記網体７の先端側両端部を前記可動框９の両端部に固定したので、網体７に部分的に皺が寄ることがなく、品質の均一化が図れる。二分割した可動框間に両面テープを介して網体の先端部を挟んでネジ止めにより固定する方式や、抜け止め材を網体の先端部にホッチキスで固定してこれを可動框に固定する方式では、作業時に網体が部分的に引張られたりして、皺が寄り易いが、本実施例では網体７の先端部の袋部２８に芯材２９を挿入しているだけで、芯材２９に網体７を固定しておらず、網体７の先端側両端部だけを可動框９の両端部に固定しているので、作業によって部分的に皺が寄るようなことが少なく、作業によるばらつきがなく、全体的に均一なテンションを与えることができ、品質の均一化ないし向上が図れる。また、網体７の先端部を芯材２９を介して可動框９に固定すると共に、網体７の先端側両端部を可動框９の両端部に固定しているため、網体７先端部の保持強度の向上が図れる。
【００２８】
図６は本発明の他の実施の形態を示す図で、（ａ）は断面図、（ｂ）は（ａ）のＣ−Ｃ線断面図、図７は可動框の一端を概略的に示す斜視図である。本実施の形態では、第２の虫除け部材１３ｂを枠体２に対して所定の位置に規制する規制手段３７の他の例が示されている。本実施の形態では、規制手段３７はガイド溝１６の溝縁部１６ａに沿って摺動自在に係合した規制部材１８が用いられている。この規制部材１８はガイド溝１６の溝縁部１６ａに摺動自在に係合した環状溝１８ａを有する円柱状に形成され、その先端部に歯車２２が一体的に設けられ、基端部に回転軸２５が嵌合連結されている。
【００２９】
前記規制部材１８は可動框９の端部から引き抜けないようにして可動框９に回動自在に支持されていることが好ましい。そして、前記規制部材１８には第２の虫除け部材１３ｂを枠体２例えば上枠２ａないし下枠２ｂに対して所定の位置すなわち所定の隙間Ｓ（例えばＳ＝１ｍｍ程度）に規制するために環状の規制溝１８ｂが設けられている。前記第２の虫除け部材１３ｂの基部にはバー状の支持材３９が設けられ、この支持材３９には前記規制溝１８ｂに摺動自在に係合する円弧状の係合爪部３９ａが設けられている。係合爪部３９ａが規制溝１８ｂの周方向に所定範囲で係合するように円弧状に形成されていることにより支持材３９が略水平に保持されていると共にケース部３８内から引き抜けることが無い。また、支持材３９の上下方向の移動はケース部３８の側面に設けた開口溝４１によって許容されている。
【００３０】
規制部材１８は、回転軸２５から回転は伝わるが、回転軸２５によって上下方向の動きは拘束されていない。すなわち、回転軸２５の端部は例えば断面半円形に形成され、規制部材１８には回転軸２５の端部が軸方向に摺動自在に係合する例えば断面半円形の軸孔が形成されている。また、回転軸２５は可動框９に対して上下方向に移動しないように設けられており、規制部材１８は可動框９に対して上下方向に所定の範囲で移動可能に設けられており、上部の規制部材１８が上方に、下部の規制部材１８が下方に最大限移動しても回転軸の端部から規制部材１８が抜けないようになっている。本実施の形態によれば、規制手段３７がガイド溝１６の溝縁部１６ａに摺動自在に係合する環状溝１８ａを有する規制部材１８と、この規制部材１８に設けられた環状の規制溝１８ｂと、第２の虫除け部材１３ｂの支持材３９に設けられ前記規制溝１８ｂに係合する係合爪部３９ａとから主に構成されているため、可動枠６の移動操作による網戸６の開閉操作時に第２の虫除け部材１３ｂを枠体２に対して常に所定の隙間Ｓを形成する位置に規制することができ、開口部装置１におけるロール式網戸６の操作性及び防虫性の向上が図れる。
【００３１】
以上、本発明の実施の形態を図面により詳述してきたが、本発明は前記実施の形態に限定されるものではなく、本発明の要旨を逸脱しない範囲での種々の設計変更等が可能である。例えば、本発明は、引違い窓だけでなく、片引き窓、縦辷り窓、障子が上下方向に開閉自在に設けられた上げ下げ窓等にも適用することが可能である。また、収納式網戸としては、ロール式網戸以外に、例えば網体をプリーツ状に折り畳んで収納する網戸であっても良い。収納式網戸は横引きタイプだけでなく、縦引きタイプであっても良い。更に、前記実施の形態ではロール式網戸を２つ用いて両開き式に構成した例が示されているが、片引き式に構成したものであっても良い。また、ロール式網戸の収納部や案内部は、サッシ枠の枠体に一体形成ないし一体に設けられていても良い。
【００３２】
【発明の効果】
以上要するに本発明によれば、次のような効果を奏することができる。
【００３３】
（１）請求項１の発明によれば、収納式網戸からなる開口部装置であって、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框にサッシの障子との隙間を塞いで虫の侵入を防ぐ虫除け部材を設け、該虫除け部材を両端部がサッシの枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けているため、収納式網戸の操作性及び防虫性の向上が図れる。
【００３４】
（２）請求項２の発明によれば、建物の開口に設けられる枠体と、該枠体内に開閉自在に設けられた障子と、前記枠体に設けられる収納式網戸とを備え、前記収納式網戸は、網体を収納する収納部と、網体の先端部を保持し網体を収納部から引き出し入れして網戸の開閉を行う可動框と、該可動框の両端部を摺動自在に案内する案内部とを有し、前記可動框に障子との隙間を塞いで虫の侵入を防ぐ虫除け部材を設け、該虫除け部材を両端部が前記枠体から離間した第１の虫除け部材と、該第１の虫除け部材に接してその両端部から長手方向に移動可能な第２の虫除け部材とにより構成し、該第２の虫除け部材にこれを前記枠体に対して所定の位置に規制する規制手段を設けているため、収納式網戸の操作性及び防虫性の向上が図れる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】網体を概略的に示す図で、（ａ）は正面図、（ｂ）は（ａ）のＡ−Ａ線断面図、（ｃ）は（ａ）のＢ−Ｂ線断面図である。
【図５】可動框の一端を概略的に示す斜視図である。
【図６】本発明の他の実施の形態を示す図で、（ａ）は断面図、（ｂ）は（ａ）のＣ−Ｃ線断面図である。
【図７】可動框の一端を概略的に示す斜視図である。
【符号の説明】
１　開口部装置
２　枠体
３ａ，３ｂ　障子
６　ロール式網戸（収納式網戸）
７　網体
８　収納部
９　可動框
１０　案内部
１３　虫除け部材
１３ａ　第１の虫除け部材
１３ｂ　第２の虫除け部材
３７　規制手段
【図１】
2004100179.tif 000003
【図２】
2004100179.tif 000004
【図３】
2004100179.tif 000005
【図４】
2004100179.tif 000006
【図５】
2004100179.tif 000007
【図６】
2004100179.tif 000008
【図７】
2004100179.tif 000009